(57)【要約】【課題】植物情報を簡単に表示させることのできる植物情報提供方法を提供する。【解決手段】生産者が生産し、タグを付して販売した植物の植物情報を、消費者に提供する植物情報提供方法であって、コンピュータが実行する、植物情報を受け付けて、植物情報を識別する植物識別情報とタグを識別するタグ識別情報とに関連付けて、植物情報を記憶するステップと、消費者の操作に応じて、植物に付されたタグの画像を取得して、タグの画像をタグ識別情報に変換して、変換したタグ識別情報に対応する植物識別情報を抽出するステップと、抽出した植物識別情報に対応する植物情報を抽出して消費者の端末に送信するステップと、消費者の端末において、タグと受信した植物情報とを重ね合わせて表示部に表示するステップと、を含む植物情報提供方法。【選択図】図３
2015075897.tif 000002
【特許請求の範囲】
【請求項１】
生産者が生産し、タグを付して販売した植物の植物情報を、消費者に提供する植物情報提供方法であって、コンピュータが実行する、
前記植物情報を受け付けて、前記植物情報を識別する植物識別情報と前記タグを識別するタグ識別情報とに関連付けて、当該植物情報を記憶するステップと、
消費者の操作に応じて、前記植物に付された前記タグの画像を取得して、当該タグの画像をタグ識別情報に変換して、変換した当該タグ識別情報に対応する前記植物識別情報を抽出するステップと、
抽出した前記植物識別情報に対応する前記植物情報を抽出して前記消費者の端末に送信するステップと、
前記消費者の端末において、前記タグと受信した前記植物情報とを重ね合わせて表示部に表示するステップと、
を含む植物情報提供方法。
【請求項２】
植物情報を抽出して消費者の端末に送信する前記ステップは、前記植物識別情報に対応する植物情報と異なり、かつ、当該植物情報に関連する、他の植物の画像をさらに抽出して当該消費者の端末に送信し、
植物情報を表示する前記ステップは、前記他の植物の画像をさらに表示する、
請求項１に記載の植物情報提供方法。
【請求項３】
植物情報を抽出して消費者の端末に送信する前記ステップは、前記他の植物の画像を、消費者の興味項目を考慮して特定する、
請求項２に記載の植物情報提供方法。
【請求項４】
生産者が生産し、タグを付して販売した植物の植物情報を、消費者に提供する植物情報提供装置であって、
前記植物情報を受け付けて、当該植物情報を識別する植物識別情報と前記タグを識別するタグ識別情報とに関連付けて、当該植物情報を記憶する植物情報記憶手段と、
消費者の操作に応じて、前記植物に付された前記タグの画像を取得して、当該タグの画像を前記タグ識別情報に変換して、変換した当該タグ識別情報に対応する前記植物識別情報を前記消費者の端末から受信する登録情報要求受付手段と、
前記消費者の端末において、前記タグと受信した前記植物情報を重ね合わせて表示部に表示するために、前記植物識別情報に対応する前記植物情報を抽出して前記消費者の端末に送信する植物情報抽出手段と、
を含む植物情報提供装置。
【発明の詳細な説明】
【技術分野】
【０００１】
本発明は、植物情報を消費者端末からの要求に応じて送信する植物情報提供方法及び植物情報提供装置に関する。
【背景技術】
【０００２】
近年、情報処理技術の発展に伴い、農業分野においても情報処理技術が浸透してきている。例えば、植物工場やハウス栽培において、所定の栽培計画に基づいてセンサから取得した気温・湿度等の生育環境の情報に基づいて生育環境を調整する制御を行ったり、所定の期間の経過に伴って自動的に給水排水や施肥の制御を行ったりのように、農業分野において情報処理技術が活用されている。
【０００３】
このような情報処理技術の活用は、植物工場やハウス栽培等の大規模な農業分野に限られず、一般消費者を対象とする植物育成の分野においても適用されてきている。例えば、特許文献１には、育成用閉空間においてセンサから検出した情報に基づいて、施肥等の制御を行う方法が開示されている。
【先行技術文献】
【特許文献】
【０００４】
【特許文献１】特開２００６−３３３７４４号公報
【発明の概要】
【発明が解決しようとする課題】
【０００５】
しかしながら、上述した方法を実現するためには、植物の育成に関して大掛かりな装置を用意しなければならない。このような装置は、一般消費者が行う趣味のガーデニング等に適用すると、一般消費者にとっては、植物の育成に必要なコストがかかりすぎてしまう。また、このような装置を適用するとなると、一般消費者が観賞目的で植物の育成を行っているような場合には装置と植物とを含めた景観が一般消費者にとって好ましくないものとなっていた。そのため、一般消費者が植物の育成を行う際に、大掛かりな装置を購入しなくても手軽に植物の育成を補助できることが望まれていた。
ところで、一般消費者にとって、植物の育成に必要な情報や植物の用途や最適な観賞時期等の植物情報は、非常に重要なものであるため、植物を販売する生産者としても植物情報を記載した説明書を添付する等の方法により植物情報を提供することが行われていた。しかし、植物に詳細な説明書が添付されていても紛失してしまうおそれや植物の鉢内に育成に関する情報を書き入れたタグを付しても必要十分な情報を書き入れることができず、植物の生産者から一般消費者への植物情報の伝達は双方の満足を得るまでには至っていなかった。
【０００６】
本発明は、このような課題に鑑みてなされたものであり、一般消費者が手軽に植物の育成に関する情報を得ることができる、植物情報提供方法及び植物情報提供装置を提供することを目的とする。
【課題を解決するための手段】
【０００７】
（１）  生産者が生産し、タグを付して販売した植物の植物情報を、消費者に提供する植物情報提供方法であって、コンピュータが実行する、
前記植物情報を受け付けて、前記植物情報を識別する植物識別情報と前記タグを識別するタグ識別情報とに関連付けて、当該植物情報を記憶するステップと、
消費者の操作に応じて、前記植物に付された前記タグの画像を取得して、当該タグの画像をタグ識別情報に変換して、変換した当該タグ識別情報に対応する前記植物識別情報を抽出するステップと、
抽出した前記植物識別情報に対応する前記植物情報を抽出して前記消費者の端末に送信するステップと、
前記消費者の端末において、前記タグと受信した前記植物情報とを重ね合わせて表示部に表示するステップと、
を含む植物情報提供方法。
【０００８】
（２）  植物情報を抽出して消費者の端末に送信する前記ステップは、前記植物識別情報に対応する植物情報と異なり、かつ、当該植物情報に関連する、他の植物の画像をさらに抽出して当該消費者の端末に送信し、
植物情報を表示する前記ステップは、前記他の植物の画像をさらに表示する、
（１）に記載の植物情報提供方法。
【０００９】
（３）  植物情報を抽出して消費者の端末に送信する前記ステップは、前記他の植物の画像を、消費者の興味項目を考慮して特定する、（２）に記載の植物情報提供方法。
【００１０】
（４）  生産者が生産し、タグを付して販売した植物の植物情報を、消費者に提供する植物情報提供装置であって、
前記植物情報を受け付けて、前記植物情報を識別する識別情報と前記タグを識別するタグ識別情報とに関連付けて、当該植物情報を記憶する植物情報記憶手段と、
消費者の操作に応じて、前記植物に付された前記タグの画像を取得して、当該タグの画像を前記タグ識別情報に変換して、変換した当該タグ識別情報に対応する前記植物識別情報を受信する登録情報要求受付手段と、
前記消費者の端末において、前記タグと受信した前記植物情報を重ね合わせて表示部に表示するために、前記植物識別情報に対応する前記植物情報を抽出して前記消費者の端末に送信する植物情報抽出手段と、
を含む植物情報提供装置。
【発明の効果】
【００１１】
本発明によれば、一般消費者は、手軽に植物の育成に関する情報を得ることができるようになる。
【図面の簡単な説明】
【００１２】
【図１】植物情報提供システムの構成を示す図である。
【図２】植物情報提供システムの利用例の一例を示す図である。
【図３】植物情報提供システムの利用例の一例を示す図である。
【図４】植物情報提供システムの機能的構成を示す図である。
【図５】記憶部の登録情報記憶手段を示す図である。
【図６】記憶部の植物情報記憶手段を示す図である。
【図７】記憶部の識別情報記憶手段を示す図である。
【図８】植物情報提供システムの処理の流れを示すフローチャート図である。
【図９】植物情報提供システムの処理の流れを示すフローチャート図である。
【図１０】植物情報提供システムの第２実施形態の機能的構成を示す図である。
【図１１】記憶部の消費者属性記憶手段を示す図である。
【図１２】植物情報提供システムの第２実施形態において表示される利用例を示す図である。
【発明を実施するための形態】
【００１３】
［本発明の実施形態］
以下、本発明の実施形態について図面を参照して説明する。
【００１４】
［第１実施形態］
［植物情報提供システム１００の構成］
図１に示す通り、本発明の植物情報提供システム１００は、植物情報を要求するとともに受信した植物情報を表示する消費者の植物情報閲覧装置１０ａ・・・１０ｎと、植物情報閲覧装置１０ａ・・・１０ｎからの要求に応じて植物情報を送信する植物情報提供装置２０と、植物情報提供装置２０が提供する植物情報を生産者が登録する植物情報登録装置３０ａ・・・３０ｎとを含んで構成される。
このような植物情報提供システム１００は、植物の生産者が登録した植物情報を、当該植物を購入した消費者に提供する機能を有している。
【００１５】
具体的には、ある植物（例えば、植物Ｐ）の生産者が、植物情報登録装置３０ａを操作して、植物情報を植物情報提供装置２０に登録する。そして、当該生産者は、図２（ａ）に示すような、植物情報提供システム１００の管理者から配布されたタグｔを、図２（ｂ）に示すように、生産者が生産した植物Ｐに付して販売する。植物情報閲覧装置１０ａは、当該生産者が販売した植物Ｐを購入したある消費者が植物情報閲覧装置１０ａを操作して、植物Ｐに付されたタグｔを植物情報閲覧装置１０ａの撮像部１４（図４で示す）で写すと、図３（ａ）で示すように、植物情報提供装置２０から植物情報を取得して、タグｔと植物Ｐに関する植物情報とを重ね合わせて表示部１３（図４で示す）に表示するよう構成されている。
【００１６】
植物に付されるタグｔは、タグｔに付された植物の画像ｇによって、当該生産者が登録した植物情報を特定するように構成されている。タグｔに付された画像は、植物毎に異なり、さらに、同じ種類の植物であっても生産者毎に異なる画像が付されており、例えば、ある生産者が登録したスイートバジルの植物情報と他の生産者が登録したスイートバジルの植物情報とは区別可能に構成されている。即ち、タグｔは、植物の種類と生産者の組み合わせ毎に相互に区別可能に構成されている。なお、タグｔに付された画像は、複数の生産者で同じ種類の植物に共通して用いられる場合があってもよい。
このようなタグｔは、植物情報提供システム１００の管理者のデザイン又は生産者のデザイン等に基づいて当該管理者が制作し、植物情報及び生産の組み合わせ毎に同一の画像が付された複数のタグｔが、当該管理者から当該生産者に配布（販売）される。消費者は、ある生産者が植物にタグｔを付して販売した植物を購入し、タグｔを植物情報閲覧装置１０ａ・・・１０ｎの撮像部１４によって映すことにより当該生産者が登録した植物情報を閲覧できる。
植物の画像ｇは、植物を観賞する際に植物を購入した消費者が違和感を覚えることがないように、バーコードや文字情報ではなく、植物の画像自体がユニーク性を有し植物識別情報と関連し植物情報を特定するように構成されている。
【００１７】
［植物情報提供システム１００を構成するハードウェア］
植物情報閲覧装置１０ａ・・・１０ｎは、後述するように、タグｔに基づいて植物識別情報を特定し、特定した植物識別情報を植物情報提供装置２０に送信して、植物情報提供装置２０から植物情報を受信して表示する端末装置である。植物情報閲覧装置１０ａ・・・１０ｎは、図４に示す各種演算処理を行う制御部１１や各種情報を記憶する記憶部１２に加え、キーボードやタッチパネル等により実現される入力部（図示せず）及びディスプレイによる表示部１３（図４で示す）やタグｔを撮影するための撮像部１４（図４で示す）を備えたコンピュータであって、いわゆるスマートフォン等の携帯端末であってよい。このような植物情報閲覧装置１０ａ・・・１０ｎは、各種プログラムがインストールされており、制御部１１がこれらプログラムに従い動作することで、植物を消費者に閲覧させるための機能を発揮する。
例えば、植物情報閲覧装置１０ａは消費者Ａにより用いられ、植物情報閲覧装置１０ｂ（図示しない）は消費者Ｂにより用いられてよい。もちろん植物情報閲覧装置１０ａ・・・１０ｎは、それぞれが別々の消費者により用いられるだけでなく、一人の消費者に複数用いられてもよい。なお、植物情報閲覧装置１０ａ・・・１０ｎの機能的構成は、基本的に同一であるため、以下単に「植物情報閲覧装置１０」と呼ぶことがある。
【００１８】
植物情報提供装置２０は、植物情報登録装置３０ａ・・・３０ｎからの植物情報の登録を受け付けて記憶し、記憶した植物情報を植物情報閲覧装置１０からの要求に応じて植物情報を提供することを目的としたものであり、図４に示す各種演算処理を行う制御部２１や各種情報を記憶する記憶部２２に加え、キーボードやタッチパネル等により実現される入力部（図示せず）及びディスプレイによる表示部（図示せず）を備えるコンピュータであって、いわゆるサーバコンピュータとして構成されてよい。このような植物情報提供装置２０は、各種プログラムがインストールされており、制御部がこれらプログラムに従い動作することで、植物情報を植物情報閲覧装置１０に提供するための機能を発揮する。
【００１９】
植物情報登録装置３０ａ・・・３０ｎは、植物情報を植物情報提供装置２０に送信して植物情報を登録するための生産者の装置である。植物情報登録装置３０ａ・・・３０ｎは、図示しない各種演算処理を行う制御部や各種情報を記憶する記憶部に加え、キーボードやタッチパネル等により実現される入力部及びディスプレイによる表示部を備えた、コンピュータであって、いわゆる汎用パーソナルコンピュータとして構成されてよい。このような植物情報登録装置３０ａ・・・３０ｎは、各種プログラムがインストールされており、制御部がこれらプログラムに従い動作することで、植物情報を植物情報提供装置２０に登録するための機能を発揮する。
本実施形態では、例えば、植物情報登録装置３０ａは生産者Ｘにより用いられ、植物情報登録装置３０ｂ（図示しない）は生産者Ｙにより用いられることになる。もちろん植物情報登録装置３０ａ・・・３０ｎは、それぞれが別々の生産者に用いられるだけではなく、一人の生産者により複数用いられてもよい。なお、植物情報登録装置３０ａ・・・３０ｎの機能的構成は、基本的に同一であるため、以下単に「植物情報登録装置３０」と呼ぶことがある。
【００２０】
これら植物情報閲覧装置１０、植物情報提供装置２０及び植物情報登録装置３０は、所定のネットワーク回線により接続され、植物情報の提供のために各種情報の送受信を行っている。
【００２１】
［植物情報提供システム１００の機能的構成］
続いて、植物情報を提供する機能を発揮するための植物情報提供システム１００の機能的構成を、図４を参照して説明する。以下、それぞれの装置毎に説明する。
【００２２】
［植物情報提供装置２０の機能的構成］
植物情報を提供する機能の発揮に際して、植物情報提供装置２０の制御部２１は、植物情報登録受付手段２１１と、登録情報要求受付手段２１２と、期間特定手段２１３と、植物情報抽出手段２１４とが機能する。また、記憶部２２には、登録情報記憶手段２２１と、植物情報記憶手段２２２とが設けられている。
【００２３】
植物情報登録受付手段２１１は、植物情報を植物情報登録装置３０から受け付けて、植物情報記憶手段２２２に記憶するように構成されている。
具体的には、植物情報登録受付手段２１１は、植物情報登録装置３０から生産者を識別する生産者情報及び登録する植物の種類を受け付けたことに応じて、登録情報記憶手段２２１から生産者に入力することが望まれる植物情報の項目を抽出する。そして、植物情報登録受付手段２１１は、抽出した項目に基づいて植物情報の入力画面データ（図示しない）を生成して、植物情報登録装置３０に入力画面のデータを送信する。さらに、植物情報登録受付手段２１１は、植物情報登録装置３０において入力画面データに基づいて入力された植物情報及び生産者情報を受け付けて、植物情報と生産者情報との組み合わせを特定する植物識別情報に関連付けて、植物情報及び生産者情報を植物情報記憶手段２２２に記憶する。また、植物情報登録受付手段２１１は、生産者に配布したタグｔに付された植物の画像に基づいて植物識別情報を特定するために、タグｔに付された植物の画像から変換され、タグｔを識別するタグ識別情報を植物識別情報と関連付けて記憶する。
【００２４】
ここで、登録情報記憶手段２２１について、図５を参照して説明する。
登録情報記憶手段２２１は、食用植物、果実の有無、観賞用植物、顕花植物等の多観点からの植物の種類を記憶した「植物の種類」と、植物の種類に対応した植物情報として記載が望まれる情報の項目を記憶した「登録項目」とから構成されている。
【００２５】
ここで、植物情報記憶手段２２２について、図６を参照して説明する。
植物情報記憶手段２２２は、生産者情報と植物情報との組み合わせを特定する「植物識別情報」と、植物識別情報と関連付けられたタグｔを識別する「タグ識別情報」と、植物の生産者を識別する「生産者情報」と、食用植物、果実の有無、観賞用植物、顕花植物等の多観点からの植物の種類に基づいて生産者によって入力された植物の情報である「植物情報」とから構成されている。
タグ識別情報は、詳細は後述するが、植物情報閲覧装置１０において、タグｔの植物の画像からタグ識別情報に変換されて、変換されたタグ識別情報に基づいて生産者情報と植物情報との組み合わせを識別する植物識別情報が抽出されるように用いられる。
【００２６】
図４に戻り、登録情報要求受付手段２１２は、植物情報閲覧装置１０から送信された植物識別情報を受け付けるように構成されている。
【００２７】
期間特定手段２１３は、植物識別情報が対応する植物情報のうち、期間のある植物情報を表示するか否かを決定するために、表示すべき期間を特定するように構成されている。
具体的には、期間特定手段２１３は、植物情報登録受付手段２１１が受け付けた植物識別情報に基づいて、植物情報記憶手段２２２を参照して、期間の情報がある植物情報を抽出する。そして、期間特定手段２１３は、抽出した期間の情報を選択する選択画面データを生成して植物情報閲覧装置１０に送信して、植物情報閲覧装置１０から選択画面データに基づいて選択された期間の情報を受信する。
【００２８】
植物情報抽出手段２１４は、植物識別情報及び期間の情報に基づいて植物情報を抽出して、植物情報閲覧装置１０に植物情報を送信するように構成されている。
具体的には、植物情報抽出手段２１４は、登録情報要求受付手段２１２が受け付けた植物識別情報及び期間特定手段２１３が受け付けた期間の情報に基づいて、植物情報記憶手段２２２から受け付けた期間の情報及び植物識別情報に対応した植物情報を抽出する。そして、植物情報抽出手段２１４は、抽出した植物情報を植物情報閲覧装置１０に送信する。
例えば、「０００１Ａ」という植物識別情報及び「４〜６月」という期間の情報に基づいて植物情報を抽出する場合には、『スイートバジルという植物の、調理レシピ：「トマト風パスタ（材料：スイートバジル、ミニトマト、ニンジン・・・，調理方法・・・），さわやかサラダ（材料：スイートバジル・・・）」，日当たり：「良い場所」，４〜６月の育成方法：「・・・」』等の植物情報を抽出するようになっている。
【００２９】
［植物情報閲覧装置１０の機能的構成］
続いて、植物情報を表示するための植物情報閲覧装置１０の機能的構成を説明する。植物情報閲覧装置１０は、植物情報を表示する機能を発揮するために、植物情報閲覧装置１０の制御部１１は、植物識別情報読取手段１１１と、植物情報登録受付手段１１２と、植物情報表示手段１１３とが機能するように構成されている。また、記憶部１２には、識別情報記憶手段１２１が設けられている。
【００３０】
植物識別情報読取手段１１１は、タグｔから植物識別情報を読み取り、植物情報提供装置２０に送信するように構成されている。
具体的には、植物識別情報読取手段１１１は、撮像部１４を動作させて、消費者の操作によりタグｔを撮像範囲内に映写させることにより、タグｔのカラー画像を取得し、取得したタグｔのカラー画像を白黒画像に変換する。そして、植物識別情報読取手段１１１は、変換したタグｔの白黒画像を０と１との数字情報に変換して、変換した数字情報からなるタグ識別情報を読み取り、タグ識別情報と関連付けられた植物識別情報を識別情報記憶手段１２１から抽出する。
【００３１】
ここで、識別情報記憶手段１２１について、図７を参照して説明する。識別情報記憶手段１２１は、タグｔの植物の画像に基づいて植物を識別する植物識別情報を、読み取るために用いられるものであって、植物識別情報を記憶する「植物識別情報」と、タグｔを識別する情報である「タグ識別情報」とから構成されている。この識別情報記憶手段１２１は、植物情報提供装置２０の植物情報記憶手段２２２に記憶された「植物識別情報」と「タグ識別情報」とに基づいて構築されている。
【００３２】
図４に戻り、植物情報登録受付手段１１２は、植物識別情報を植物情報提供装置２０に送信して、植物情報提供装置２０から植物情報を受信するように構成されている。
具体的には、植物情報登録受付手段１１２は、植物識別情報読取手段１１１が読み取った植物識別情報を植物情報提供装置２０に送信し、植物情報提供装置２０から期間の情報を選択する画面データを受信する。そして、植物情報登録受付手段１１２は、受信した期間の情報を選択する画面データを表示部１３に表示して、消費者の選択を受け付けて選択した期間の情報を植物情報提供装置２０に送信する。さらに、植物情報登録受付手段１１２は、送信した期間の情報及び植物識別情報に対応する植物情報を植物情報提供装置２０から受信する。
【００３３】
植物情報表示手段１１３は、撮像部１４が撮影しているタグｔと、植物情報登録受付手段１１２が受信した植物情報とを、重ね合わせた画像データを生成して、表示部１３に表示するように構成されている。
【００３４】
ここで、植物情報表示手段１１３が表示する、植物情報表示画面の一例を、図３を参照して説明する。植物情報表示画面は、図３（ａ）が示すように、撮像部１４で撮影しているタグｔと植物情報とを重ね合わせて表示するように構成されている。表示される植物情報は、タグｔと重ね合わせて表示されているため、まるで実際のタグｔに植物情報が表示されているかのように表示されている。
また、タグｔに重ね合わせられる情報量を超えた植物情報については、表示部下部に表示された、詳細な情報を表示するための選択部を消費者が選択することにより、撮像部１４において撮影した画像は表示せずに植物情報のみを表示する詳細画面に遷移するようになっている。なお、詳細画面においても、消費者の選択を受け付けてさらに詳細な情報を表示するようになっており、図３（ｂ）の詳細画面においては、他のシソ科、料理、同時期に開花する植物等を消費者が選択することにより、対応する詳細情報が表示されるように構成されている。
【００３５】
［植物情報提供システム１００の処理］
続いて、図８及び図９を参照して、植物情報提供システム１００の処理について説明する。
図８は、植物情報提供システム１００において、植物情報を登録する処理の流れを示す図である。
初めに、植物情報提供システム１００は、植物情報提供装置２０において、生産者の情報及び当該生産者が購入したタグｔの情報を受け付けたことに応じて処理を開始する。
植物情報提供装置２０は、植物情報の登録を促す通知を植物情報登録装置３０に送信する（ステップＳ１）。植物情報登録装置３０は、植物情報の登録を促す通知を参照した、生産者の操作を受け付けて、生産者の識別情報及び登録する植物の種類を送信し、植物情報提供装置２０の植物情報登録受付手段２１１は、生産者の識別情報及び登録する植物の種類を受信する（ステップＳ２）。植物情報提供装置２０の植物情報登録受付手段２１１は、植物の種類に基づいて、登録項目を抽出し、登録項目に基づいて入力画面データを生成して、植物情報登録装置３０に送信する（ステップＳ３）。植物情報登録装置３０は、植物情報提供装置２０から受信した入力画面データを表示し、生産者の植物情報の入力を受け付けて、植物情報提供装置２０に植物情報を送信する（ステップＳ４）。植物情報提供装置２０は、植物情報登録装置３０から受信した植物情報を植物情報記憶手段２２２に記憶して（ステップＳ５）、処理を終了する。
【００３６】
図９は、植物情報提供システム１００において、植物情報を提供する処理の流れを示す図である。
初めに、植物情報提供システム１００は、植物情報閲覧装置１０において、消費者の所定の操作を受け付けたことに応じて処理を開始する。
植物情報閲覧装置１０の植物識別情報読取手段１１１は、消費者の操作に応じてタグｔのカラー画像を取得する（ステップＳ１１）。植物識別情報読取手段１１１は、取得したタグｔのカラー画像を白黒画像に変換する（ステップＳ１２）。植物識別情報読取手段１１１は、変換した白黒画像をタグ識別情報に変換して、変換したタグ識別情報に対応する植物識別情報を識別情報記憶手段１２１から読み出す（ステップＳ１３）。植物識別情報読取手段１１１は、抽出した植物識別情報を植物情報提供装置２０に送信し、植物情報提供装置２０の登録情報要求受付手段２１２は、植物情報閲覧装置１０から植物識別情報を受信して植物識別情報を受け付ける（ステップＳ１４）。植物情報提供装置２０の期間特定手段２１３は、受け付けた植物識別情報に基づいて、植物情報のうち、期間の情報がある植物情報を抽出して、抽出した期間の情報を選択する画面データを生成し、植物情報閲覧装置１０に送信する（ステップＳ１５）。植物情報閲覧装置１０の植物情報登録受付手段１１２は、受信した期間を選択する画面データに基づく選択画面を表示部１３に表示して、消費者の選択を受け付けて選択した期間の情報を植物情報提供装置２０に送信する（ステップＳ１６）。植物情報提供装置２０の植物情報抽出手段２１４は、植物識別情報及び期間の情報に基づいて、植物情報を抽出し、植物情報閲覧装置１０に送信し、植物情報閲覧装置１０の植物情報登録受付手段１１２は、植物情報を受信する（ステップＳ１７）。植物情報閲覧装置１０の植物情報表示手段１１３は、撮像部１４が撮影しているタグｔと、植物情報登録受付手段１１２が受信した植物情報とを、重ね合わせた画像データを生成して、表示部１３に表示する（ステップＳ１８）。植物情報閲覧装置１０は、消費者の所定の操作を受け付けて、処理を終了する。
【００３７】
以上、本実施形態について説明した。このような植物情報提供システム１００によれば、植物に詳細な説明を植物に添付しなくても、消費者が携帯端末で植物に付されたタグｔを写すことにより植物情報が表示されるため、消費者は、説明書を管理したり、改めてインターネット等で検索したりしなくても手軽に植物の育成に関する情報を得ることができるようになる。
【００３８】
［第２実施形態］
第１実施形態において、植物情報提供システム１００は、タグｔを添付している植物に関する植物情報を提供していたが、本実施形態の植物情報提供システム１００ａにおいては、タグｔを添付している植物とは異なる植物の情報を含めて提供するため、図１０で示すように、植物情報閲覧装置１０ａには、植物情報表示手段１１３ａが機能し、植物情報提供装置２０ａには、登録情報要求受付手段２１２ａと植物情報抽出手段２１４ａと消費者属性受付手段２１５とが機能し、植物情報記憶手段２２２ａと消費者属性記憶手段２２３が記憶部２２に設けられている。なお、第１実施形態のものと同様の機能についてはその説明は省略する。
【００３９】
このような第２実施形態のような構成を備える必要性について説明する。
複数の消費者が同一の植物種を育成する場合にも、植物に対する興味項目は消費者によって様々である。そして、植物情報は、生産者に入力に基づいて行われているが、生産者としては、消費者が植物を育成するために必要な情報を提供したいと考えていたとしても、情報入力の煩雑さや必要とされる様々な興味項目に対応する情報の多様性に対応しきれず、最低限の情報のみを入力することもある。
そこで、本実施形態は、そのような課題にかんがみて、植物の情報が充実していれば充実しているほど、自己の生産する植物が露出する機会を増やすことにより、生産者に、自己の提供する植物についての情報を入力するモチベーションを高めうるシステムを提供する。
【００４０】
消費者属性受付手段２１５は、消費者が興味を有している植物情報の興味項目を受け付けて消費者属性記憶手段２２３に記憶するように構成されている。具体的には、消費者属性受付手段２１５は、後述の植物情報表示手段１１３ａにおいて表示された、植物情報について、消費者が選択した植物情報の項目の過去の閲覧履歴を受け付けて、閲覧履歴に含まれる項目を消費者が興味を有している興味項目であるとして記憶するように構成されている。
例えば、図３（ｂ）のような植物情報の詳細画面においては、「他のシソ科」、「料理」及び「同時期に開花する植物」との項目について選択することができるようになっており、消費者が「料理」の項目を選択すると、植物情報閲覧装置１０ａから消費者識別情報と料理の項目を選択した閲覧履歴が植物情報提供装置２０ａに送信され、消費者識別情報と関連付けて料理が当該消費者の興味項目であるとして記憶される。
【００４１】
なお、興味項目は、本実施形態においては、植物情報提供システム１００ａにおける消費者の閲覧履歴に基づいて行われているが、消費者の興味項目を特定できるものであればこれに限られるものではなく、例えば、他の事業者から提供される消費者の興味項目であってもよい。
【００４２】
ここで、消費者属性記憶手段２２３について、図１１を参照して説明する。消費者属性記憶手段２２３は、消費者の興味対象の項目を記憶するデータベースであって、消費者を識別する「消費者識別情報」と、消費者が興味を有すると考えられる植物情報の項目である「興味項目」とから構成されている。
【００４３】
図１０に戻り、登録情報要求受付手段２１２ａは、植物情報閲覧装置１０ａから送信された植物識別情報とともに、消費者を特定する消費者識別情報を受け付けるように構成されている。
【００４４】
植物情報抽出手段２１４ａは、植物識別情報、期間の情報及び消費者識別情報に基づいて、植物識別情報が対応した植物情報と植物識別情報が対応した植物とは異なり、かつ当該植物と関連する、他の植物の画像及び植物情報を抽出して、植物情報閲覧装置１０ａに送信するように構成されている。
【００４５】
具体的には、植物情報抽出手段２１４ａは、登録情報要求受付手段２１２ａが受け付けた植物識別情報及び期間特定手段２１３が受け付けた期間の情報に基づいて、植物情報記憶手段２２２ａから期間の情報及び植物識別情報に対応した植物情報を抽出する。
また、植物情報抽出手段２１４ａは、受け付けた消費者識別情報に基づいて、消費者が興味を有する興味項目を抽出する。そして、興味項目と一致する植物識別情報に対応した植物情報に含まれる項目の内容に基づいて、植物情報記憶手段２２２ａを検索して、植物識別情報に対応した植物と関連する植物情報を抽出する。
そして、植物情報抽出手段２１４ａは、抽出した植物識別情報が対応した植物情報と、植物識別情報が対応した植物情報とは異なり、かつ当該植物情報と関連する、他の植物の画像及び植物情報を、植物情報閲覧装置１０ａに送信する。
【００４６】
ここで、本実施形態において、植物情報提供装置２０の植物情報記憶手段２２２ａは、植物情報記憶手段２２２ａは、「植物識別情報」、「生産者情報」、「植物情報」の他に、後述の植物情報表示手段１１３ａが表示するための「ＡＲ表示用画像」が記憶されるように構成されている。
【００４７】
植物情報閲覧装置１０の植物情報表示手段１１３ａは、撮像部１４で取得した植物の画像と、植物情報抽出手段２１４ａが抽出した他の植物の植物画像と、が並列して表示されるように構成されている。
【００４８】
図１２を参照して、植物情報表示手段１１３ａが表示する画面の一例について説明する。
図１２（ａ）には、ある消費者が購入した植物が撮像部１４を介してそのまま映されている表示部１３を示しており、図１２（ｂ）には、植物情報表示手段１１３ａが購入した植物と関連する植物の画像及び植物情報が並列して表示されるように合成された画像に基づいて表示される表示部１３を示している。
植物情報表示手段１１３ａは、当該消費者が購入した植物のある生産者が登録した植物情報（Ａ１のミニトマト）とは異なり、かつ当該植物情報と関連する、他の生産者が登録した他の植物の画像（Ａ２のニンジン、Ａ３のスイートバジル）が表示されている。また、それぞれの植物の画像の下に詳細な植物情報を表示する画面へ遷移する選択部Ｂ１，Ｂ２及びＢ３が表示されている。
当該他の植物は、Ａ２のニンジン及びＡ３のスイートバジルの植物情報に、当該他の生産者が、当該消費者が興味を有している「料理」の項目について、ミニトマト、ニンジン及びスイートバジルを材料とするトマトパスタを登録していたために、ミニトマトに関連する他の植物として表示されている。
【００４９】
以上、本実施形態について説明した。このような植物情報提供システム１００ａによれば、植物情報抽出手段２１４ａにおいて、植物情報が充実しているほど、他の植物と並列して表示され易くなるため、植物情報登録装置３０の生産者は、積極的に植物情報を入力して、生産者が販売する植物の露出する機会が増え植物の販売量を増加させることができるとともに、植物情報提供システム１００ａの管理者は、植物情報を自らメンテナンスしなくても生産者によって植物情報を充実させることができ、植物情報閲覧装置１０ａの消費者は様々な植物情報を簡単に入手することができる。
【００５０】
また、このような植物情報提供システム１００ａによれば、植物情報抽出手段２１４ａにおいて、消費者の関心のある興味項目を有する植物が優先的に抽出されるため、消費者は、興味項目を含む他の植物についての植物情報を簡単に入手することができる。
【００５１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５２】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能がコンピュータに備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
また、１つの機能ブロックは、上述した装置ではなく他の装置に備わっていてもよく、例えば、植物情報閲覧装置１０がタグｔに基づいて植物識別情報を読み出していたが、植物情報閲覧装置１０から植物情報提供装置２０にタグｔの画像が送信され、植物情報提供装置２０においてタグｔの画像から植物識別情報を読み出すように構成してもよい。
【００５３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよいし、いわゆるスマートフォンのような携帯端末であってもよい。
【符号の説明】
【００５４】
ｔ  タグ
ｇ  植物の画像
１００  植物情報提供システム
１０，１０ａ，１０ｎ  植物情報閲覧装置
１１  植物情報閲覧装置の制御部
１１１  植物識別情報読取手段
１１２  植物情報登録受付手段
１１３  植物情報表示手段
１２  植物情報閲覧装置の記憶物
１２１  識別情報記憶手段
１３  植物情報閲覧装置の表示部
１４  植物情報閲覧装置の撮像部
２０  植物情報提供装置
２１  植物情報提供装置の制御部
２１１  植物情報登録受付手段
２１２  登録情報要求受付手段
２１３  期間特定手段
２１４  植物情報抽出手段
２２  植物情報提供装置の記憶部
２２１  登録情報記憶手段
２２２  植物情報記憶手段
３０，３０ａ，３０ｎ  植物情報登録装置
【図１】
2015075897.tif 000003
【図２】
2015075897.tif 000004
【図３】
2015075897.tif 000005
【図４】
2015075897.tif 000006
【図５】
2015075897.tif 000007
【図６】
2015075897.tif 000008
【図７】
2015075897.tif 000009
【図８】
2015075897.tif 000010
【図９】
2015075897.tif 000011
【図１０】
2015075897.tif 000012
【図１１】
2015075897.tif 000013
【図１２】
2015075897.tif 000014